(57)【要約】【課題】隠し丁番仕様のドアの吊り込み時など、限られたスペースにおける吊り込み時におけるドアの高さ調整の実施を可能とする。【解決手段】ドア高さ調整治具１は、ドア１００の施工時にドア１００の高さを調整するために用いられる。ドア高さ調整治具１は、ドア１００が載置される載置面１２を有する載置部材１０と、該載置部材１０の高さを調整する調整部材２０と、を備え、載置部材１０は、載置面１２と反対側の面である第１底面１１を有し、第１底面１１の一部には、載置面１２に向かう方向に傾斜した傾斜部１１ａが形成されており、傾斜部１１ａに調整部材２０が挿入されることで載置面１２が上昇する。【選択図】図３Ｂ
2019173497.tif 000002
【特許請求の範囲】
【請求項１】
ドア高さ調整治具であって、
ドアが載置される載置面を有する載置部材と、
該載置部材の高さを調整する調整部材と、を備え、
前記載置部材は、前記載置面と反対側の面である第１底面を有し、
該第１底面の一部には、前記載置面に向かう方向に傾斜した傾斜部が形成されており、
該傾斜部に前記調整部材が挿入されることで前記載置面が上昇することを特徴とするドア高さ調整治具。
【請求項２】
前記調整部材は、前記傾斜部と当接する当接面と、
該当接面と反対側の面である第２底面と、を有し、
前記傾斜部に前記当接面が当接しつつ前記調整部材が挿入されることで前記載置面が上昇することを特徴とする請求項１に記載のドア高さ調整治具。
【請求項３】
前記載置部材において前記第１底面と前記傾斜部がなす角度である第１傾斜角度が、
前記調整部材において前記第２底面と前記当接面がなす角度である第２傾斜角度と略同一であることを特徴とする請求項２に記載のドア高さ調整治具。
【請求項４】
前記載置面に、前記載置面に乗せられた前記ドアと当接する立ち上り部を有することを特徴とする請求項２又は３に記載のドア高さ調整治具。
【請求項５】
前記傾斜部及び前記当接面の少なくとも一方には、すべり止めが設けられていることを特徴とする請求項２乃至４のいずれか一項に記載のドア高さ調整治具。
【請求項６】
前記第１底面及び前記第２底面の少なくとも一方には、すべり止めが設けられていることを特徴とする請求項２乃至５のいずれか一項に記載のドア高さ調整治具。
【請求項７】
前記載置部材には、前記調整部材を挿入する方向を示す目印が設けられていることを特徴とする請求項１乃至６のいずれか一項に記載のドア高さ調整治具。
【請求項８】
前記載置部材は、前記載置面に前記ドアが載置された場合に前記ドアを跨いで配置される前面と後面を備え、
前記傾斜部が、前記前面から前記後面に向かう方向に対して傾いて設けられていることを特徴とする請求項１乃至７のいずれか一項に記載のドア高さ調整治具。
【請求項９】
前記第１底面には、前記傾斜部が複数設けられていることを特徴とする請求項１乃至８のいずれか一項に記載のドア高さ調整治具。
【発明の詳細な説明】
【技術分野】
【０００１】
本発明は、ドア高さ調整治具に係り、特に、ドアの施工に際し、ドアの吊り込み時にドアの高さを調整するために用いられるドア高さ調整治具に関する。
【背景技術】
【０００２】
一般に、ドア（ドアパネル）の取り付けは、作業者がドアを持ち上げて支持した状態で、ドアをドア枠に吊り込むことによって行われる。手作業でドアの吊り込みを行う場合、作業が煩雑であった。そこで、吊り込み時におけるドアの高さ調整を目的としたドア高さ調整治具が報告されている。
【０００３】
特許文献１には、支持部に揺動自在に軸支した本体の一端にペダル部を設け、支持部を挟んだ他端にドアの支承部を水平方向、かつ上下方向に所定範囲回動可能に装着したドア吊り込み治具が記載されている。
【０００４】
特許文献２には、ドア受け部材の両端部に、ドア受け部材の高さを調整可能に支持する高さ調整部材を設けたドア取付け治具が記載されている。
【先行技術文献】
【特許文献】
【０００５】
【特許文献１】実開平７−２３７１８号公報
【特許文献２】実開平４−１０４９７７号公報
【発明の概要】
【発明が解決しようとする課題】
【０００６】
近年、高さ寸法が大きいドアや、隠し丁番仕様のドアなどが採用されることがあるが、高さ寸法が大きいドアや隠し丁番使用のドアは、従来のドアと比較して吊り込み時の位置合わせ等が困難である。従来のドア高さ調整治具は、その構造上、隠し丁番仕様のドアの施工時など、限られたスペースにおいて使用することが困難であった。
【０００７】
このように、限られたスペースにおける吊り込み時におけるドアの高さ調整の実施が課題となっている。
【０００８】
本発明は、上記の課題に鑑みてなされたものであって、その目的は、隠し丁番仕様のドアの吊り込み時など、限られたスペースにおいてもドアの位置合わせ等の作業がしやすいドア高さ調整治具を提供することにある。
【課題を解決するための手段】
【０００９】
前記課題は、本発明のドア高さ調整治具によれば、ドア高さ調整治具であって、ドアが載置される載置面を有する載置部材と、該載置部材の高さを調整する調整部材と、を備え、前記載置部材は、前記載置面と反対側の面である第１底面を有し、該第１底面の一部には、前記載置面に向かう方向に傾斜した傾斜部が形成されており、該傾斜部に前記調整部材が挿入されることで前記載置面が上昇することにより解決される。
【００１０】
上記のように構成された本発明のドア高さ調整治具によれば、調整部材の傾斜部に対する挿入具合を調整することで、ドアの吊り込み時にドアの高さを微調整することができると共に、ドア枠側に設けられた丁番取付部に対してドアを滑らせるようにして取り付けることができるため、隠し丁番仕様のドアの吊り込み時など、限られたスペースにおいてもドアの位置合わせ等の作業を容易に行うことが可能となる。
【００１１】
また、上記の構成において、前記調整部材は、前記傾斜部と当接する当接面と、該当接面と反対側の面である第２底面と、を有し、前記傾斜部に前記当接面が当接しつつ前記調整部材が挿入されることで前記載置面が上昇するとよい。
上記の構成では、調整部材の当接面と、載置部材の傾斜部が当接しつつ調整部材の挿入が行われるため、載置部材を徐々に上昇させることができるとともに、上昇させた載置部材の位置が安定したものとなる。
【００１２】
また、上記の構成において、記載置部材において前記第１底面と前記傾斜部がなす角度である第１傾斜角度が、前記調整部材において前記第２底面と前記当接面がなす角度である第２傾斜角度と略同一であるとよい。
上記の構成では、載置部材に対する調整部材の挿入を適切に行うことが可能となるとともに、載置部材と調整部材の係合状態が安定したものとなる。
【００１３】
また、上記の構成において、前記載置面に、前記載置面に乗せられた前記ドアと当接する立ち上り部を有するとよい。
上記の構成では、立ち上り部がドアと当接することで、載置面からのドアの脱落を防止することができる。
【００１４】
また、上記の構成において、前記傾斜部及び前記当接面の少なくとも一方には、すべり止めが設けられているとよい。
上記の構成では、載置部材の傾斜部に調整部材を挿入した際に、傾斜部と当接面の間にすべり止めが設けられていることで、調整部材が載置部材に対して挿入方向と逆側にずれることを防止することが可能となる。
【００１５】
また、上記の構成において、前記第１底面及び前記第２底面の少なくとも一方には、すべり止めが設けられているとよい。
上記の構成では、載置部材や調整部材が、床面に対して滑ってしまうことを防止することができる。
【００１６】
また、上記の構成において、前記載置部材には、前記調整部材を挿入する方向を示す目印が設けられているとよい。
上記の構成では、載置部材に対して、調整部材を挿入する方向が把握できる。
【００１７】
また、上記の構成において、前記載置部材は、前記載置面に前記ドアが載置された場合に前記ドアを跨いで配置される前面と後面を備え、前記傾斜部が、前記前面から前記後面に向かう方向に対して傾いて設けられているとよい。
上記の構成では、傾斜部が底面において傾いて形成されていることで、載置部材の傾斜部に挿入された調整部材が、傾斜部に対して挿入方向と逆側にずれることが好適に防止される。
【００１８】
また、上記の構成において、前記第１底面には、前記傾斜部が複数設けられているとよい。
上記の構成では、載置部材に複数の傾斜部が設けられているため、ドアにおいて丁番が取り付けられる位置が左右どちらの端部にある場合であっても、適切な傾斜部を選択して調整部材を挿入することで対応することが可能である。
【発明の効果】
【００１９】
本発明に係るドア高さ調整治具によれば、隠し丁番仕様のドアの吊り込み時など、限られたスペースにおいてもドアの位置合わせ等の作業を容易に行うことが可能となる。
【図面の簡単な説明】
【００２０】
【図１Ａ】本発明の一実施形態に係るドア高さ調整治具を構成する載置部材の外観図である。
【図１Ｂ】本発明の一実施形態に係るドア高さ調整治具を構成する載置部材を底面から見た場合の外観図である。
【図２】本発明の一実施形態に係るドア高さ調整治具を構成する調整部材の外観図である。
【図３Ａ】本発明の一実施形態に係るドア高さ調整治具の使用手順を示す図であり、載置部材に調整部材を挿入する前の状態を示す図である。
【図３Ｂ】本発明の一実施形態に係るドア高さ調整治具の使用手順を示す図であり、載置部材に調整部材を挿入した状態を示す図である。
【図３Ｃ】本発明の一実施形態に係るドア高さ調整治具の使用手順を示す図であり、載置部材に調整部材を挿入して載置面を上昇させた状態を示す図である。
【図４】本発明の一実施形態に係るドア高さ調整治具を用いてドアを吊り込む際の様子を示す図である。
【図５】本発明の第１の変形例に係る載置部材の底面図である。
【図６Ａ】本発明の第２の変形例に係る載置部材の外観図である。
【図６Ｂ】本発明の第２の変形例に係る載置部材を底面から見た場合の外観図である。
【図７Ａ】本発明の第３の変形例に係る載置部材の外観図である。
【図７Ｂ】本発明の第３の変形例に係る載置部材を底面から見た場合の外観図である。
【発明を実施するための形態】
【００２１】
以下、本発明の一実施形態（以下、本実施形態）に係るドア高さ調整治具の構成について図１乃至４を参照しながら説明する。図１Ａ及び図１Ｂは、本実施形態に係るドア高さ調整治具１を構成する載置部材の外観図である。なお、図１には、矢印にて載置部材の前後方向、高さ方向、幅方向を図示している。図２は、本実施形態に係るドア高さ調整治具１を構成する調整部材の外観図である。なお、図２には、矢印にて調整部材の前後方向、高さ方向、幅方向を図示している。図３Ａ乃至３Ｃは、ドア高さ調整治具の使用手順を示す図であり、図３Ａ及び図３Ｂの順に状態が遷移する。図３Ａは、載置部材に調整部材を挿入する前の状態を示す図であり、図３Ｂは、載置部材に調整部材を挿入した状態を示す図であり、図３Ｃは、載置部材に調整部材を挿入して載置面を上昇させた状態を示す図である。なお、図３Ａ乃至図３Ｃには、矢印にてドア高さ調整治具の前後方向、高さ方向、幅方向及び調整部材の挿入方向を図示している。図４は、本実施形態に係るドア高さ調整治具を用いてドアを吊り込む際の様子を示す図である。図５は、本発明の第１の変形例に係る載置部材の底面図である。なお、図５には、矢印にて調整部材の前後方向、幅方向を図示している。図６Ａは、本発明の第２の変形例に係る載置部材の外観図であり、図６Ｂは、本発明の第２の変形例に係る載置部材を底面から見た場合の外観図である。図７Ａは、本発明の第３の変形例に係る載置部材の外観図であり、図７Ｂは、本発明の第３の変形例に係る載置部材を底面から見た場合の外観図である。なお、図６Ａ乃至７Ｂには、矢印にて載置部材の前後方向、高さ方向、幅方向を図示している。
【００２２】
＜ドア高さ調整治具１＞
先ず、本実施形態に係るドア高さ調整治具１の用途、材質及び形状等について説明する。
本実施形態に係るドア高さ調整治具１（以下、単にドア高さ調整治具１）は、ドアの施工に際し、ドア（ドアパネル）をドア枠に吊り込む際に用いられるものである。ドア高さ調整治具１は、ドアが載置される載置部材１０（図１Ａ及び図１Ｂ）と、載置部材１０の高さを調整する調整部材２０（図２）を主構成要素として備えている。
【００２３】
（載置部材１０）
載置部材１０は、樹脂、弾性を有するエラストマー材料、木材、金属などの材料で形成されており、図１Ａ及び図１Ｂに示すように、底面１１と、底面１１と反対側の面であり、ドアが載置される載置面１２とを有している。また、載置部材１０は、後述する調整部材２０が挿入される方向（前後方向）に前面１３及び後面１４を有し、調整部材２０が挿入される方向と直交する方向（幅方向）に側面１５ａ，１５ｂを有している。載置面１２にドアが載置された場合に前面１３と後面１４は、ドアを跨いで配置されることになる。
【００２４】
底面（第１底面）１１は、ドア高さ調整治具１の使用時に床面と接する面である。底面１１には、載置面１２に向かう方向に傾斜した傾斜部１１ａが設けられている。換言すると、底面１１には、載置面１２に向かう方向に凹む凹部が設けられて傾斜部１１ａ（つまり、傾斜凹部）が形成されている。より詳細には、傾斜部１１ａは、底面１１において、前面１３に近い側、詳細には、底面１１と前面１３との境界を起点として、後面１４に向かうにつれて傾斜部１１ａの高さが高くなるように傾斜している。ここで、図１Ｂに示すように、底面１１と傾斜部１１ａがなす角度を第１傾斜角度α１とする。
【００２５】
傾斜部１１ａは、底面１１において前面１３との境界から後面１４との境界に渡って設けられているため（換言すると、傾斜部１１ａが底面１１において、載置部材１０の前後方向の前端から後端に渡って設けられているため）、載置部材１０の鉛直方向への上昇を適切に行うことができる。
【００２６】
載置面１２は、ドア高さ調整治具１の使用時にドア（ドアパネル）が載置される面である。載置面１２には、ドアと当接して、ドアの脱落を防止するための立ち上り部１２ａ（前側の立ち上り部１２ａ）及び立ち上り部１２ｂ（後側の立ち上り部１２ｂ）が、調整部材２０が挿入される方向（前後方向）に１つずつ、載置面１２から上方に垂直に延出するように設けられている。
【００２７】
載置面１２の表面には、例えば、発泡体などの材料で形成されたクッション部材１６が設けられており、載置面１２にドアを載置した際に生じる衝撃を緩衝する役割、及び、載置面１２に載置されたドアの一部を保護する役割を果たしている。
【００２８】
また、傾斜部１１ａには、摩擦力が高められたすべり止め１７が設けられており、傾斜部１１ａに挿入された調整部材２０が移動してずれることを防止される。
【００２９】
さらに、図１Ａに示すように、後面１４側の立ち上り部１２ｂの上面には、前面１３に向かう方向（換言すると、ドア高さ調整治具１の前方）を指し示す目印１９が形成されている。目印１９が形成されていることにより、調整部材２０を挿入する方向が把握できるようになっている。目印１９が、後面１４側の立ち上り部１２ｂに形成されていることで、作業者が載置部材１０を上方から見た際に、傾斜部１１ａが見えにくい場合であっても、調整部材２０を挿入する方向を把握可能である。
【００３０】
（調整部材２０）
調整部材２０は、樹脂、木材、金属などの材料で形成されており、図２に示すように、底面２１（第２底面）と、底面２１の反対側の面であり底面２１に対して傾斜して設けられた当接面２２を有している。また、調整部材２０は、載置部材１０への挿入方向と直交する方向（幅方向）に側面２３ａ，２３ｂを有している。さらに、調整部材２０は、その長手方向（前後方向）において、底面２１と当接面２２の起点となる先端部２４を有し、先端部２４とは反対側の後端に被押圧面２５を有している。
【００３１】
底面２１（第２底面）は、ドア高さ調整治具１の使用時に床面と接する面である。底面２１には、すべり止め２１ａが設けられており、調整部材２０が床面に対して滑ってしまうことが防止されるようになっている。すべり止め２１ａは、例えば、テフロンテープを底面２１に貼付するなどして形成されている。
【００３２】
当接面２２は、図２に示すように、底面２１と第２傾斜角度α２をなして形成された面であり、ドア高さ調整治具１の使用時に載置部材１０の傾斜部１１ａと当接する面である。ここで、第２傾斜角度α２は、第１傾斜角度α１と略同一、例えば、第２傾斜角度α２と第１傾斜角度α１の差が±５°以下となるように設定されていると好適である。第１傾斜角度α１と第２傾斜角度α２が大きく異なる場合と比較して、載置部材１０に対する調整部材２０の挿入を適切に行うことが可能となるとともに、載置部材１０と調整部材２０を組み合わせた際の係合状態が安定したものとなる。
【００３３】
当接面２２には、摩擦力が高められたすべり止め２６が設けられており、傾斜部１１ａに調整部材２０を挿入した際に、傾斜部１１ａに設けられたすべり止め１７と当接することで、調整部材２０が挿入方向と逆側（ドア高さ調整治具１の後方）にずれることが防止される。
【００３４】
側面２３ａ，２３ｂにおいて、先端部２４よりも被押圧面２５に近い側には、貫通孔が形成され、紐状部材である牽引部材２７が挿通されている。牽引部材２７を先端部２４から被押圧面２５に向かう方向（つまり、調整部材２０の挿入方向と逆方向）に牽引することで、載置部材１０の傾斜部１１ａに挿入された調整部材２０を引き抜くことが可能となっている。
【００３５】
＜ドア高さ調整治具１を用いたドアの吊り込み方法＞
次に、ドア高さ調整治具１を用いたドアの吊り込み方法について、図３Ａ乃至３Ｃ及び図４を参照して説明する。
まず、図３Ａに示す状態で載置部材１０の載置面１２にドアを載置する。このとき、載置部材１０の立ち上り部１２ａと立ち上り部１２ｂとの間にドアを挟み込むようにしてドアを載置する（図４）。図４に示すように、載置部材１０の傾斜部１１ａが作業者から視認可能となるように、後面１４が作業者側に位置するように配置する。換言すると、目印１９が設けられた立ち上り部１２ｂが作業者側に位置するように配置する。
【００３６】
次に、図３Ｂに示すように、調整部材２０の被押圧面２５を、ハンマー等の器具を用いて少しずつ叩くなどして、押圧することで、載置部材１０の傾斜部１１ａに対して、調整部材２０の先端部２４を挿入し、傾斜部１１ａと当接面２２を当接させる。そして、載置部材１０の傾斜部１１ａに、調整部材２０の当接面２２を当接させつつ、調整部材２０を挿入する。
【００３７】
そして、図３Ｃに示すように、調整部材２０の被押圧面２５を押圧して、傾斜部１１ａと当接面２２が当接した状態で、調整部材２０を載置部材に挿入することで、載置部材１０の載置面１２が上方へと上昇する。したがって、載置部材１０の載置面１２に載置されたドアが上方へと上昇することになる。
【００３８】
ドア高さ調整治具１は、隠し丁番仕様のドアの吊り込み時など、限られたスペースにおいてもドアの位置合わせ等の作業を容易に行うことが可能である。例えば、図４に示すように、ドア１００には、隠し丁番仕様の丁番１０１が取り付けられており、ドア枠２００の丁番取付部２０１に丁番１０１が係合するようにドアの吊り込みが行われる。このとき、ドア１００が載置された載置部材１０の傾斜部１１ａに対して、作業者が調整部材２０の被押圧面２５を押圧して、調整部材２０を徐々に挿入することで、載置面１２の高さ、つまりドア１００の高さを徐々に高くすることが可能となる。適切な高さにドア１００が配置された後に、ドア高さ調整治具１及びドア１００を滑らせるようにして移動させ、丁番１０１を丁番取付部２０１に対して係合・固定して、ドア１００をドア枠２００に取り付ける。
【００３９】
このとき、図４におけるドア１００の裏面には、載置部材１０の前側の立ち上り部１２ａ及び調整部材２０の先端部２４に近い部分が位置し、ドア１００の表面（作業者側、つまり、調整部材２０の被押圧面２５が位置する側）には、載置部材１０の後側の立ち上り部１２ｂ及び調整部材２０の被押圧面２５に近い部分が位置するのみである。したがって、ドア高さ調整治具１によれば、複雑な機構や、大きな動作を伴う部材を用いる必要がないため、限られたスペースにおいてもドアの位置合わせ等の作業を容易に行うことが可能である。
【００４０】
ドア１００の取り付け作業が終了した後、牽引部材２７を調整部材２０の先端部２４から被押圧面２５に向かう方向（つまり、挿入方向と逆方向）に牽引して、載置部材１０から調整部材２０を分離する。そして、載置部材１０をドア１００の幅方向にスライドさせてドア１００から分離して、作業が終了する。
【００４１】
＜ドア高さ調整治具１の作用＞
以上説明したドア高さ調整治具１によれば、調整部材２０の傾斜部１１ａに対する挿入具合を調整することで、ドア１００（ドアパネル１００）の吊り込み時にドア１００の高さを微調整することができると共に、ドア枠２００側に設けられた丁番取付部２０１に対してドア１００を滑らせるようにして取り付けることができるため、隠し丁番仕様のドア１００の吊り込み時など、限られたスペースにおいてもドア１００の位置合わせ等の作業を容易に行うことが可能となる。また、ドア高さ調整治具１を用いることで、ドア１００のドア枠２００に配置する位置決め精度を向上させることができる。
【００４２】
ドア高さ調整治具１によれば、調整部材２０が、傾斜部１１ａと当接する当接面２２と、当接面２２と反対側の面である底面２１と、を有し、傾斜部１１ａに当接面２２が当接しつつ調整部材２０が挿入されるため、載置部材１０を徐々に上昇させることができるとともに、上昇させた載置部材１０の位置が安定したものとなる。
【００４３】
ドア高さ調整治具１によれば、載置部材１０において底面１１と傾斜部１１ａがなす角度である第１傾斜角度α１が、調整部材２０において底面２１と当接面２２がなす角度である第２傾斜角度α２と略同一であるため、載置部材１０に対する調整部材２０の挿入を適切に行うことが可能となるとともに、載置部材１０と調整部材２０の係合状態が安定したものとなる。
【００４４】
ドア高さ調整治具１によれば、載置部材１０の底面１１において前面１３との境界から後面１４との境界に渡って設けられているため（換言すると、傾斜部１１ａが底面１１において、載置部材１０の前後方向の前端から後端に渡って設けられているため）、載置部材１０の鉛直方向への上昇を適切に行うことができる。
【００４５】
ドア高さ調整治具１によれば、載置部材１０の載置面１２に、載置面１２に乗せられたドア１００と当接する立ち上り部１２ａ，１２ｂが設けられているため、立ち上り部１２ａ，１２ｂがドアと当接することで、載置面１２からのドア１００の脱落を防止することができる。
【００４６】
ドア高さ調整治具１によれば、調整部材２０が、調整部材２０を牽引可能に取り付けられた牽引部材２７を備えるため、ドア１００の取り付け作業が終了した後に、牽引部材２７を牽引して、載置部材１０から調整部材２０を分離することが可能となる。
【００４７】
ドア高さ調整治具１によれば、傾斜部１１ａ及び当接面２２の少なくとも一方に、すべり止めが設けられているため、載置部材１０の傾斜部１１ａに調整部材２０を挿入した際に、調整部材２０が載置部材１０に対して挿入方向と逆側（換言すると、前面１３から後面１４に向かう方向）にずれることを防止することが可能となる。
【００４８】
ドア高さ調整治具１によれば、載置部材１０の底面１１及び調整部材２０の底面２１の少なくとも一方には、すべり止めが設けられているため、載置部材１０や調整部材２０が、床面に対して滑ってしまうことを防止することができる。
【００４９】
ドア高さ調整治具１によれば、載置部材の１０の載置面１２には、クッション部材１６が設けられているため、載置面１２にドア１００を載置した際に生じる衝撃を緩衝したり、載置面１２に載置されたドア１００の一部を保護したりすることが可能となる。
【００５０】
ドア高さ調整治具１によれば、載置部材１０には、調整部材２０を挿入する方向を示す目印１９が設けられているため、載置部材１０に対して、調整部材２０を挿入する方向が把握できる。
【００５１】
＜変形例＞
以上までに、本発明の一実施形態に係るドア高さ調整治具１の構成について説明してきたが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００５２】
特に、ドア高さ調整治具１の構造、材質、形状及び寸法等については、上記の実施形態の中で説明した内容に限定されず、本発明の趣旨を逸脱しない限りにおいて任意に設計することが可能である。
【００５３】
本実施形態の第１の変形例に係るドア高さ調整治具の載置部材１０Ｘを、図５を参照して説明する。載置部材１０Ｘは、図５に示すように、傾斜部１１ｘが、後面１４と前面１３の間において、側面１５ａから側面１５ｂ近付く方向へと傾いて形成されている。このとき、傾斜部１１ｘの傾斜角度が、調整部材２０の底面２１と当接面２２とがなす角（上述の第２傾斜角度α２）と略同一となるように形成されている。このように、傾斜部１１ｘが底面１１において傾いて形成されていることで、載置部材１０Ｘの傾斜部１１ｘに挿入された調整部材２０が、傾斜部１１ｘに対して挿入方向と逆側にずれることが好適に防止される。
【００５４】
また、調整部材２０に加え、追加の調整部材を組み合わせるように構成することも可能である。例えば、図２に示す調整部材２０の底面に追加の傾斜部を設け、該追加の傾斜部に挿入可能な形状の追加の調整部材を用意することも可能である。
【００５５】
また、図１Ａ及び図１Ｂに示す載置部材１０では、１つの傾斜部１１ａのみを設けた例を示したが、載置部材に複数の傾斜部、例えば２つの傾斜部を設けることも可能である。以下に、２つの傾斜部を備える載置部材について、図６Ａ乃至図７Ｂを参照して説明をする。
【００５６】
本実施形態の第２の変形例に係るドア高さ調整治具の載置部材１０Ｙを、図６Ａ及び図６Ｂを参照して説明する。図６Ａ及び図６Ｂに示すように、載置部材１０Ｙの底面１１Ｙには、載置面１２に向かう方向に傾斜した２つの傾斜部が設けられている。具体的に説明すると、底面１１Ｙには、載置面１２に向かう方向に凹む凹部が２つ設けられており、第１傾斜部１１Ｙａと第２傾斜部１１Ｙｂが形成されている。このとき、第１傾斜部１１Ｙａの傾斜角度及び第２傾斜部１１Ｙｂの傾斜角度が、調整部材２０の底面２１と当接面２２とがなす角（上述の第２傾斜角度α２）とそれぞれ略同一となるように形成されている。
【００５７】
第１傾斜部１１Ｙａは、側面１５ａ及び後面１４にまたがる位置に設けられ、載置部材１０Ｙの底面１１Ｙにおいて前後方向（前面１３と後面１４に直交する方向）に延在する開始線ＳＹ（換言すると、載置面１２Ｙに載置されるドアの表面と裏面に対して直交する方向に延在する開始線ＳＹ）から後面１４に向かうにつれて第１傾斜部１１Ｙａの高さが高くなるように傾斜している。また、図６Ｂに示すように、第１傾斜部１１Ｙａは、後面１４Ｙから前面１３に向かうのに従って、側面１５ａから側面１５ｂへと近付く方向へと傾いて形成されている。
【００５８】
また、第２傾斜部１１Ｙｂは、側面１５ｂ及び後面１４にまたがる位置に設けられ、第１傾斜部１１Ｙａと共通の開始線ＳＹから後面１４に向かうにつれて第２傾斜部１１Ｙｂの高さが高くなるように傾斜している。図６Ｂに示すように、第２傾斜部１１Ｙｂは、後面１４と前面１３に向かうのに従って、側面１５ｂから側面１５ａへと近付く方向へと傾いて形成されている。
【００５９】
本実施形態の第３の変形例に係るドア高さ調整治具の載置部材１０Ｚを、図７Ａ及び図７Ｂを参照して説明する。図７Ａ及び図７Ｂに示すように、載置部材１０Ｚの底面（第１底面）１１Ｚには、載置面１２に向かう方向に傾斜した２つの傾斜部が設けられている。具体的に説明すると、底面１１Ｚには、第１傾斜部１１Ｚａ及び第２傾斜部１１Ｚｂが互いに交差するようにして設けられている。換言すると、底面１１Ｚには、載置面１２Ｚに向かう方向に凹む凹部が交差するように設けられて第１傾斜部１１Ｚａ及び第２傾斜部１１Ｚｂが形成されている。このとき、第１傾斜部１１Ｚａの傾斜角度及び第２傾斜部１１Ｚｂの傾斜角度が、調整部材２０の底面２１と当接面２２とがなす角（上述の第２傾斜角度α２）と略同一となるように形成されている。
【００６０】
第１傾斜部１１Ｚａは、後面１４において側面１５ａに近い位置に設けられ、載置部材１０Ｚの底面１１Ｚにおいて側面１５ｂ及び前面１３に近い開始線ＳＺａから後面１４に向かうにつれて第１傾斜部１１Ｚａの高さが高くなるように傾斜している。また、図７Ｂに示すように、第１傾斜部１１Ｚａは、後面１４から前面１３に向かうのに従って、側面１５ａから側面１５ｂへと近付く方向へと傾いて形成されている。
【００６１】
また、第２傾斜部１１Ｚｂは、後面１４において側面１５ｂに近い位置に設けられ、載置部材１０Ｚの底面１１Ｚにおいて側面１５ａ及び前面１３に近い開始線ＳＺｂから後面１４に向かうにつれて第２傾斜部１１Ｚｂの高さが高くなるように傾斜している。図７Ｂに示すように、第２傾斜部１１Ｚｂは、後面１４から前面１３に向かうのに従って、側面１５ｂから側面１５ａへと近付く方向へと傾いて形成されている。
【００６２】
第２及び第３の変形例に係るドア高さ調整治具の載置部材１０Ｙ，１０Ｚによれば、２つの傾斜部が設けられているため、ドア１００において丁番１０１が取り付けられる位置が左右どちらの端部にある場合であっても、適切な傾斜部を選択して（換言すると、適切な調整部材２０の挿入方向を選択して）、調整部材２０を挿入することで対応することが可能である。
【００６３】
また、第１傾斜部１１Ｙａ，１１Ｚａや第２傾斜部１１Ｙｂ，１１Ｚｂが底面１１Ｙ，１１Ｚにおいて傾いて形成されていることで、載置部材１０Ｙ，１０Ｚの傾斜部に挿入された調整部材２０が、傾斜部に対して挿入方向と逆側にずれることが好適に防止される。
【符号の説明】
【００６４】
１  ドア高さ調整治具
１０，１０Ｘ，１０Ｙ，１０Ｚ  載置部材
１１，１１Ｙ，１１Ｚ  底面（第１底面）
１１ａ，１１ｘ  傾斜部
１１Ｙａ，１１Ｚａ  第１傾斜部（傾斜部）
１１Ｙｂ，１１Ｚｂ  第２傾斜部（傾斜部）
ＳＹ，Ｓａ，Ｓｂ  開始線
α１  第１傾斜角度
１２  載置面
１２ａ，１２ｂ  立ち上り部
１３  前面
１４  後面
１５ａ，１５ｂ  側面
１６  クッション部材
１７  すべり止め
１９  目印
２０  調整部材
２１  底面（第２底面）
２１ａ  すべり止め
２２  当接面
α２  第２傾斜角度
２３ａ，２３ｂ  側面
２４  先端部
２５  被押圧面
２６  すべり止め
２７  牽引部材
１００  ドア（ドアパネル）
１０１  丁番
２００  ドア枠
２０１  丁番取付部
【図１Ａ】
2019173497.tif 000003
【図１Ｂ】
2019173497.tif 000004
【図２】
2019173497.tif 000005
【図３Ａ】
2019173497.tif 000006
【図３Ｂ】
2019173497.tif 000007
【図３Ｃ】
2019173497.tif 000008
【図４】
2019173497.tif 000009
【図５】
2019173497.tif 000010
【図６Ａ】
2019173497.tif 000011
【図６Ｂ】
2019173497.tif 000012
【図７Ａ】
2019173497.tif 000013
【図７Ｂ】
2019173497.tif 000014